(57)【要約】【課題】コンパクト化を図った戸当たりを提供する。【解決手段】ドア１に取り付けられると共に床２に向け延出したロッド２２が設けられたロッド機構２０Ａと、床２に設けられロッド２２を係止することによりドア１を開いた状態に係止するロッド係止機構４０Ａとを有する戸当たりであって、ロッド係止機構４０Ａは床面に沿って移動可能な構成とされており、ドア１の１回目の開き方向の動作によりロッド２２と係合してロッド２２の移動を係止し、ドア１の２回目の開き方向の動作によりロッド２２との係合を解除してドア１の閉め方向へのロッド２２の移動を許容するカム部材４３Ａを有する。【選択図】図６
2014194144.tif 000002
【特許請求の範囲】
【請求項１】
ドアに取り付けられると共に床に向け延出したロッドが設けられたロッド機構と、
前記床に設けられ、前記ロッドを係止することにより前記ドアを開いた状態に係止するロッド係止機構とを有する戸当たりであって、
前記ロッド係止機構は、
床面に沿って移動可能な構成とされており、前記ドアの１回目の開き方向の動作により前記ロッドと係合して前記ロッドの移動を係止し、前記ドアの２回目の開き方向の動作により前記ロッドとの係合を解除して前記ドアの閉め方向への前記ロッドの移動を許容する係止部材を有することを特徴とする戸当たり。
【請求項２】
前記係止部材は前記ロッドが通過する略ハート型の通路を有し、
前記通路は前記ロッドと係合し移動を規制する係合部を有することを特徴とする請求項１記載の戸当たり。
【請求項３】
前記ロッド係止機構は、前記係止部材を中央位置に付勢する係止部材付勢手段を有することを特徴とする請求項１又は２に記載の戸当たり。
【請求項４】
前記係止部材は、前記通路の前記ロッドの進入側に前記ロッドを前記通路にガイドする係止部材側ガイド部を有することを特徴とする請求項２に記載の戸当たり。
【請求項５】
前記ロッド係止機構は、前記ロッドの移動をガイドするロッド挿入ガイド部を有し、
前記係止部材の移動位置に拘わらず、前記係止部材側ガイド部又は前記通路の少なくとも一方が前記ロッド挿入ガイド部と対向する構成としたことを特徴とする請求項４記載の戸当たり。
【請求項６】
前記ロッド機構は、前記ロッドを前記床面に対し上下方向に移動可能に支持すると共に、前記ロッドを前記床に向け付勢するロッド付勢手段を有することを特徴とする請求項１乃至５のいずれか一項に記載の戸当たり。
【請求項７】
ドアを開いた状態に係止する戸当たりを構成し、前記ドアに設けられ床に向け延出したロッドと係合することにより前記ドアを係止するロッド係止機構であって、
床面に沿って移動可能に設けられ、前記ドアの１回目の開き方向の動作により前記ロッドと係合して前記ロッドの移動を係止し、前記ドアの２回目の開き方向の動作により前記ロッドとの係合を解除して前記ドアの閉め方向への前記ロッドの移動を許容することを特徴とするロッド係止機構。
【請求項８】
ドアを開いた状態に係止する戸当たりを構成し、床に設けられたロッド係止機構に係止されるロッドを有したロッド機構であって、
前記ロッドを前記床に対し上下方向に移動可能に支持すると共に、前記ロッドを前記床に向け付勢する付勢手段を有することを特徴とするロッド機構。
【発明の詳細な説明】
【技術分野】
【０００１】
本発明は、扉等を開いた状態に係止できる戸当たり及びロッド係止機構及びロッド機構に関する。
【背景技術】
【０００２】
従来から、ドア（扉）を開いた状態に係止する戸当たりが知られている。この戸当たりとしては、ドアに配設されたフック部材と、床面或いは壁面に突出するよう設けられ、フック部材を係止可能とした突出部とにより構成されたものが一般的である。
【０００３】
このフック部材は、通常ドアの下部の床に近い位置に設けられている。よって、戸当たりを用いてドアを開いた状態に係止するには、操作者はドアを開いた後、姿勢を低くして（屈んで）ドアに設けられたフック部材を突出部に係合させることを行っていた。
【０００４】
しかしながらこの作業は面倒である。このためドアを開ける動作に伴いドアを係止し、再びドアを操作することにより係止を解除する構成とされた戸当たりが提案されている（特許文献１）。この特許文献１に開示された戸当たりは、床面に対して上下及び左右方向に揺動可能なストッパー可動体を設けると共に、床に配設されドアの移動に伴いストッパー可動体と係合してドアを係止するストッパー固定体とを有した構成とされている。
【先行技術文献】
【特許文献】
【０００５】
【特許文献１】特開平１０−２５２３３６号公報
【発明の概要】
【発明が解決しようとする課題】
【０００６】
しかしながら特許文献１に開示された戸当たりは、ストッパー可動体がドアから水平に突出した構成となるため邪魔になるという問題点があった。
【０００７】
更に、特許文献１に開示された戸当たりは、ストッパー固定体が動かないため、ストッパー固定体にストッパー可動体と係合するために設けられた溝部全体を露出させておく必要があり、見映えが悪く商品性が低いという問題点もあった。
【０００８】
本発明は上記の点を鑑みてなされたものであり、コンパクト化かつ見映えを良くし商品化を図った戸当たり及びロッド係止機構及びロッド機構を提供することを目的とする。
【課題を解決するための手段】
【０００９】
上記の課題は、
ドアに取り付けられると共に床に向け延出したロッドが設けられたロッド機構と、
前記床に設けられ、前記ロッドを係止することにより前記ドアを開いた状態に係止するロッド係止機構とを有する戸当たりであって、
前記ロッド係止機構は、
床面に沿って移動可能な構成とされており、前記ドアの１回目の開き方向の動作により前記ロッドと係合して前記ロッドの移動を係止し、前記ドアの２回目の開き方向の動作により前記ロッドとの係合を解除して前記ドアの閉め方向への前記ロッドの移動を許容する係止部材を有することを特徴とする戸当たりにより解決することができる。
【発明の効果】
【００１０】
本発明によれば、床面に沿って移動可能なカムによりロッドが係止され、ドアの移動が規制されるため、ロッド係止機構のコンパクト化を図ることができる。
【図面の簡単な説明】
【００１１】
【図１】図１は、本発明の第１実施形態である戸当たりの実装状態を示す斜視図である。
【図２】図２は、本発明の第１実施形態である戸当たりの実装状態を示す側面図である。
【図３】図３は本発明の第１実施形態である戸当たりを構成するロッド機構を示しており、（Ａ）は斜視図、（Ｂ）は分解斜視図である。
【図４】図４は、本発明の第１実施形態である戸当たりを構成するロッド係止機構を示す分解斜視図である。
【図５】図５は、本発明の第１実施形態である戸当たりを構成するロッド係止機構を示す分解斜視図である。
【図６】図６（Ａ）〜図６（Ｄ）は、本発明の第１実施形態である戸当たりの動作を説明するための図であり、カムカバーを外した状態を示す図である。
【図７】図７は、本発明の第２実施形態である戸当たりの動作を説明するための図である（その１）。
【図８】図８は、本発明の第２実施形態である戸当たりの動作を説明するための図である（その２）。
【図９】図９は、本発明の第２実施形態である戸当たりの動作を説明するための図である（その３）。
【図１０】図１０は、本発明の第２実施形態である戸当たりの動作を説明するための図である（その４）。
【図１１】図１１は本発明の第３実施形態である戸当たりを構成するロッド機構を示しており、（Ａ）は正面図、（Ｂ）は底面図である。
【図１２】図１２は、本発明の第３実施形態である戸当たりを構成するロッド係止機構を示す平面図である。
【図１３】図１３は、本発明の第４実施形態である戸当たりを構成するロッド係止機構を示す平面図である。
【図１４】図１４は本発明の第４実施形態である戸当たりを構成するロッド係止機構を示す平面図であり、（Ａ）はカム部材が矢印Ｘ２方向側に移動した状態を示す図であり、（Ｂ）はカム部材が矢印Ｘ１方向側に移動した状態を示す図である。
【図１５】図１５（Ａ）〜図１５（Ｃ）は、本発明の第４実施形態である戸当たりの動作を説明するための図であり、カムカバーを外した状態を示す図である（その１）。
【図１６】図１６（Ｄ）〜図１６（Ｆ）は、本発明の第４実施形態である戸当たりの動作を説明するための図であり、カムカバーを外した状態を示す図である（その２）。
【図１７】図１７（Ａ）は図１４（Ａ）におけるＡ−Ａ線に沿う断面図であり、図１７（Ｂ）は図１７（Ａ）の矢印Ｂで示す一点鎖線の円で囲まれた部分を拡大して示す図である。
【発明を実施するための形態】
【００１２】
次に、本発明の実施の形態について図面と共に説明する。
【００１３】
図１乃至図６は、本発明の一実施形態である戸当たり１０Ａを示している。戸当たり１０Ａは、図１に示されるように、ドア１を開いた状態に係止するものである。この戸当たり１０Ａは、図２に拡大して示すように、ドア１に設けられるロッド機構２０Ａと、床２に設けられるロッド係止機構４０Ａとにより構成されている。
【００１４】
ロッド機構２０Ａは、図３に拡大して示すように、ケース２１、ロッド２２、コイルスプリング２４、及び固定ネジ２５を有している。なお、図３（Ａ）はロッド機構２０Ａの外観を示す斜視図であり、図３（Ｂ）はロッド機構２０Ａの分解斜視図である。
【００１５】
ケース２１は、ロッド２２を装着する装着孔２６が設けられている。この装着孔２６は図２に示すように段付き孔となっている。また、装着孔２６の上部の所定範囲はネジ孔とされている。
【００１６】
ロッド２２は、後述するようロッド係止機構４０Ａに係合され、これによりドア１は開いた状態に係止される。ロッド２２の上端には、大径とされた頭部２２ａが形成されている。この頭部２２ａは装着孔２６の段部と係合する構成とされており、これによりロッド２２がケース２１から抜け出ることを防止している。
【００１７】
また、装着孔２６にロッド２２を挿入した後、その上部にはコイルスプリング２４が挿入される。更に、コイルスプリング２４の上端部は、固定ネジ２５を装着孔２６のネジ孔に螺着することにより固定される。従って、ロッド２２，コイルスプリング２４，及び固定ネジ２５がケース２１に装着された状態において、ロッド２２はケース２１に対して上下方向（図中、Ｚ１，Ｚ２で示す方向）に移動可能な構成となる。
【００１８】
上記構成されたロッド機構２０Ａは、ロッド２２の移動方向が床２に対して垂直となるよう（鉛直となるよう）ドア１に固定される。ロッド機構２０Ａのドア１への固定方法は特に限定されるものではないが、一例としては図示しない固定ネジを用いて固定することができる。
【００１９】
ロッド機構２０Ａがドア１に取り付けられた状態で、ロッド２２はケース２１から床２に向けて延出する。また、上記したコイルスプリング２４により、ロッド２２はケース２１から下方へ突出するように付勢された構成となっている。更に、取り付け状態においてロッド２２の下端部は床２から離間しているが、後述するロッド係止機構４０Ａとは係合可能な高さとされている。
【００２０】
次に、図４及び図５を用いて、ロッド係止機構４０Ａについて説明する。なお、図４はロッド係止機構４０Ａの外観を示す斜視図であり、図５はロッド係止機構４０Ａの分解斜視図である。
【００２１】
ロッド係止機構４０Ａは、カムカバー４１、ベース４２、カム部材４３Ａ（請求項に記載の係止部材の一例に相当する）、及びカムホルダー４４等を有している。
【００２２】
カムカバー４１の中央位置には、ロッド２２の進入方向（矢印Ｙ１，Ｙ２方向）に延在するロッド挿入溝５０が形成されている。後述するように、ドア１を戸当たり１０Ａで係止する際、ドア１に固定されたロッド機構２０Ａに設けられたロッド２２は、ロッド挿入溝５０内に進入する。
【００２３】
ベース４２は板状の部材であり、ロッド係止機構４０Ａの最下部に配設される。このベース４２の形状はカムカバー４１の形状と対応している。カムカバー４１及びベース４２の内部に形成される空間内に、カム部材４３Ａ及びカムホルダー４４は収納される。
【００２４】
カム部材４３Ａは、ロッド２２が進行するロッド通路４８Ａが形成されている。このロッド通路４８Ａは、ロッド進入部５５、進入通路５６、係合部５７、及び戻り通路５８を有している。
【００２５】
また、ロッド通路４８Ａを構成するロッド進入部５５、進入通路５６、係合部５７、及び戻り通路５８は、全体して略ハート型の形状を有している。また、ロッド通路４８Ａの内側部分は、ロッド通路４８Ａに対して突出した突出部６１が形成されている。なお、ロッド通路４８Ａは、ロッド２２が内部を進行する際に逆走が防止される構成とされている。
【００２６】
進入通路５６は、ロッド機構２０Ａのロッド２２が進入脱されるロッド進入部５５と、ロッド２２が係合する係合部５７との間に形成されている。ドア１が１回目の開き方向の動作を行う際、ロッド２２はこの進入通路５６の内部を係合部５７に向けて（矢印Ｙ１方向に向けて）移動する。
【００２７】
進入通路５６は、ロッド進入部５５側から上り面部５６ａ、平面部５６ｂ、窪み面部５６ｃ、及び上り面部５６ｄを有した構成とされている。
【００２８】
上り面部５６ａは、ロッド進入部５５から斜め上方に延出した傾斜面である。この上り面部５６ａの上側縁部は、平面部５６ｂの矢印Ｙ２側の端部と接続している。また、平面部５６ｂの矢印Ｙ１側の端部は、窪み面部５６ｃの一端部と接続している。この窪み面部５６ｃは平面部５６ｂよりも低い位置に形成されており、平面部５６ｂと窪み面部５６ｃとの間には段差部が形成されている。
【００２９】
また、窪み面部５６ｃの他端部は、上り面部５６の下側端部と接続している。上り面部５６は斜め上方に延出した傾斜面であり、その上側端部は係合部５７と接続している。
【００３０】
なお、上り面部５６ｄの係合部５７側の端部の高さは、係合部５７の高さに比べて小さくなっている。よって、上り面部５６ｄの上側端部と係合部５７との間には、段差部が形成されている。
【００３１】
この進入通路５６の平面視した形状は、ロッド進入部５５から矢印Ｙ１方向に向かうに従い、先ず斜め右方向（矢印Ｘ２方向）に延出した後，直線状に矢印Ｙ１方向に延出した形状とされている。
【００３２】
係合部５７は、ロッド通路４８Ａ内を進行してくるロッド２２と係合する構成とされている。即ち、係合部５７の進入通路側端部５７ａと戻り通路側端部５７ｂとの間は湾曲状部が形成されており、この湾曲形状はロッド２２の直径に対応して設定されている。また、係合部５７の高さは、上り面部５６ｄの係合部５７側の高さに比べて低いと共に、後述する窪み面部５８ｂの高さに比べても低く設定されている。よって、ロッド２２が係合部５７内に進入した際、ロッド２２は係合部５７により係止された状態となる。
【００３３】
なお、ロッド２２が係合部５７に係合した際、係合部５７と上り面部５６ｄとの間には段差が形成されているため、ロッド２２が進入通路５６に逆行することはない。
【００３４】
戻り通路５８は、係合部５７とロッド進入部５５との間に形成されている。ドア１が２回目の開き方向の動作を行うことにより、ロッド２２はこの戻り通路５８の内部をロッド進入部５５に向けて（矢印Ｙ２方向に向けて）移動する。
【００３５】
戻り通路５８は、係合部５７側から上り面部５８ａ、窪み面部５８ｂ、上り面部５８ｃ、及び平面部５８ｄを有した構成とされている。
【００３６】
上り面部５８ａは、係合部５７から斜め上方に延出した傾斜面である。この上り面部５８ａの上側縁部は、窪み面部５８ｂの一端部と接続している。窪み面部５８ｂは上り面部５８ａの上側縁部の高さよりも低く、窪み面部５８ｂと上り面部５８ａの上側縁部との間には段差が形成されている。
【００３７】
また、窪み面部５８ｂの矢印Ｙ２側の端部は、上り面部５８ｃの下側端部と接続している。この上り面部５８ｃは、窪み面部５８ｂから斜め上方に延出した傾斜面である。この上り面部５８ｃの上側縁部は、平面部５８ｄの矢印Ｙ１方向側の端部と接続している。
【００３８】
また、平面部５８ｄの矢印Ｙ２方向側の端部は、ロッド進入部５５と接続している。この際、ロッド進入部５５の高さに対し、平面部５８ｄは高くなるよう設定されている。従って、ロッド進入部５５と平面部５８ｄとの間には、段差部６５が形成されている。
【００３９】
ドア１が２回目の開き方向の動作を行った際、係合部５７に係合していたロッド２２は、上り面部５８ａを上昇するよう進行する。これによりロッド２２は、戻り通路５８に至る。なお、戸当たり３の具体的な動作については後述するものとする。
【００４０】
カムホルダー４４は枠状形状で、ロッド２２が通過するロッド進入部５４を有する。前記したカム部材４３Ａは、このカムホルダー４４内に装着される。この装着状態において、ロッド２２の進行に伴い、ロッド２２がカム部材４３Aを押すことにより、カム部材４３Ａはカムホルダー４４内を図中矢印Ｘ１，Ｘ２方向にスライド移動する構成とされている。このスライド移動は、ベース４２上をスライド（摺動）することにより行われる。
【００４１】
また、カム部材４３Ａとカムホルダー４４との間には、カムスプリング４５，４６が装着される。カムスプリング４５は、カム部材４３Ａの矢印Ｘ２方向側の側面とカムホルダー４４との間に配設される。またカムスプリング４６は、カム部材４３Ａの矢印Ｘ１方向側の側面とカムホルダー４４との間に配設される。
【００４２】
よって、カム部材４３Ａがカムホルダー４４内で矢印Ｘ１方向に移動した場合には、カムスプリング４６が収縮し、カム部材４３Ａを矢印Ｘ２方向に移動付勢する弾性力を発生させる。また、カム部材４３Ａがカムホルダー４４内で矢印Ｘ２方向に移動した場合には、カムスプリング４５が収縮し、カム部材４３Ａを矢印Ｘ１方向に移動付勢する弾性力を発生させる。
【００４３】
上記構成とされたロッド係止機構４０Ａを床２に取り付けるには、カム部材４３Ａ及びカムスプリング４５，４６をベース４２とカムホルダー４４との間に組み込んだ上で、取り付けネジ４７を用いてカムホルダー４４及びベース４２を床２に固定する。なお、カム部材４３Ａ及びカムスプリング４５，４６の組み込みは、カムホルダー４４とベース４２の床２への固定後でも構わない。
【００４４】
カムホルダー４４には挿通孔５２が形成されており、ベース４２には挿通孔５３が形成されている。よって、取り付けネジ４７を挿通孔５２及び挿通孔５３を介して床２にネジ止めすることにより、ベース４２，カムホルダー４４は床２に固定される。
【００４５】
カムカバー４１は、カムホルダー４４の外周に嵌着可能な構成とされている。よって、ベース４２及びカムホルダー４４等を床２に固定した後、カムカバー４１をカムホルダー４４に嵌着する。これにより、ロッド係止機構４０Ａは床２に固定される。なお、ロッド係止機構４０Ａの床２への取り付け位置は、床２上でドア１を係止したい位置に設定される。
【００４６】
次に、上記構成とされた戸当たり１０Ａの動作について説明する。
【００４７】
図６は、戸当たり１０Ａの動作を説明するための図である。なお、同図では図示及び説明の便宜上、ロッド機構２０Ａについてはロッド２２のみを示し、またロッド係止機構４０Ａにおいてはカムカバー４１及びベース４２の図示を省略している。
【００４８】
図６（Ａ）は、ドア１の１回目の開き方向の動作により、ロッド２２がロッド係止機構４０Ａのロッド進入部５４に位置した状態（以下、この状態をフリー状態という）を示している。ここで、「ドア１の１回目の開き方向の動作」とは、ドア１を開くと共に戸当たり１０Ａによりドア１を係止させるための動作をいう。また、「開き方向」とは入口３を閉じた状態のドア１が開かれる方向をいい、図１に矢印Ａ１で示す方向をいう。
【００４９】
フリー状態は、まだロッド２２はロッド通路４８Ａに進行していない状態である。このフリー状態では、カムスプリング４５，４６は均衡した状態となっており、よってカム部材４３Ａはカムホルダー４４内の中央に位置した状態となっている。この状態では、カム部材４３Aのロッド進入部５５は、カムホルダー４４のロッド進入部５４及びカムカバー４１のロッド挿入溝５０に合致する位置に保持されている。
【００５０】
フリー状態より更にドア１を開き方向に移動させると、図６（Ｂ）に示すようにロッド２２はロッド通路４８Ａを構成する進入通路５６に沿って矢印Ｙ１方向に移動する。図６（Ｂ）は、ロッド２２が上り面部５６ａを上り、平面部５６ｂまで進行した状態を示している。
【００５１】
この際、前記のようにロッド進入部５５と戻り通路５８（平面部５８ｄ）の矢印Ｙ２方向側の端部との間には段差部６５が形成されているため、ドア１の１回目の開き方向の動作時にロッド２２が戻り通路５８に進行することはない。
【００５２】
ロッド２２はカムカバー４１に形成されたロッド挿入溝５０によってもガイド（案内）されるため、ロッド２２が進入通路５６内を進行することにより、カム部材４３Ａは図中矢印Ｘ１方向に移動を行う。このためカムスプリング４６が収縮され、よってカム部材４３Ａにはカムスプリング４６により矢印Ｘ２方向へ移動付勢する弾性力が作用する。
【００５３】
図６（Ｂ）に示す状態より更にロッド２２が矢印Ｙ１方向に進行すると、ロッド２２は平面部５６ｂから窪み面部５６ｃに落下する。カム部材４３Ａはカムスプリング４６により矢印Ｘ２方向に移動付勢されているため、この付勢力によりロッド２２は上り面部５６ｄを上り、ロッド２２は上り面部５６ｄを上り切ったところで、進入通路側端部５７ａを越えて係合部５７と係合する。
【００５４】
図６（Ｃ）は、ロッド２２と係合部５７が係合した状態を示している。係合部５７は進入通路５６を構成する上り面部５６ｄの上側縁部の高さよりも低く、また戻り通路５８を構成する上り面部５８ａの上側縁部の高さよりも低くなっている。よって、ロッド２２の移動は、一対の上り面部５６ｄ，５８ａにより規制される。これにより、係合部５７内におけるロッド２２の矢印Ｘ１，Ｘ２方向の移動は規制される。
【００５５】
また、ドア１に矢印Ｙ２方向の動作（ドア１を閉める方向の動作）が行われた場合、ロッド２２には閉め方向（矢印Ｙ２方向）の力が印加される。しかしながら、カム部材４３Ａの係合部５７に対して矢印Ｙ２方向側には突出部６１が形成されている。この突出部６１によりロッド２２の矢印Ｙ２方向の移動は規制されるため、閉め方向（矢印Ｙ２方向）の力が印加されてもドア１が閉まるようなことはなく開いた状態を維持することができる（以下、この状態をロック状態という）。
【００５６】
このロック状態を解除しドア１を閉めるためには、ドア１を開き方向（矢印Ｙ１方向）に移動させる（この動作をドアの２回目の開き方向の動作という）。
【００５７】
このようにドア１を開き方向（矢印Ｙ１方向）に移動させることにより、ロッド２２は戻り通路５８に進行する。具体的には、ロッド２２は上り面部５８ａを上り、上り切った後に窪み面部５８ｂに落下する。これにより、ロッド２２は係合部５７及び戻り通路側端部５７ｂから離脱し、ロッド２２と係合部５７との係合は解除される。図６（Ｄ）は、ロッド２２が戻り通路５８内を矢印Ｙ２方向に移動している状態を示している。
【００５８】
なお、前記の通り係合部５７と上り面部５６ｄとの間には段差が形成されており、ドアの２回目の開き方向の動作によりロッド２２が進入通路５６側に逆行することはない。
【００５９】
ドア１を閉める場合、ドア１には閉め方向（図１に矢印Ａ２で示す方向）に力が負荷される。この力はロッド２２にも負荷されており、よってロッド２２は戻り通路５８内を矢印Ｙ２方向に移動する。具体的には、ロッド２２は窪み面部５８ｂを矢印Ｙ２方向進行し、その後に上り面部５８ｃを上り平面部５８ｄに至る。そして、更に平面部５８ｄを矢印Ｙ２方向に移動することにより、平面部５８ｄから離脱してこれより低いロッド進入部５５に落下する。
【００６０】
ロッド２２がロッド進入部５４の近傍まで移動した状態では、カム部材４３Ａも略中央位置に移動し、ロッド進入部５４とロッド進入部５５は一致し連通した状態となっている。よって、ロッド２２が更に矢印Ｙ２方向に移動することにより、ロッド２２（ロッド機構２０Ａ）はロッド係止機構４０Ａから離脱する。これにより、戸当たり１０Ａによるドア１の一連の係止動作が終了する。
【００６１】
上記のように本実施形態に係る戸当たり１０Ａは、ロッド２２がロッド挿入溝５０にガイドされて矢印Ｙ１，Ｙ２方向への略直線的な動作であるのに対し、カム部材４３Ａが床２に沿って矢印Ｘ１，Ｘ２方向にスライドすることによりロッド２２を係止する構成とされている。
【００６２】
このように本実施形態に係る戸当たり１０Ａでは、ロッド機構２０Ａを矢印Ｘ方向にスライドする必要がないため、ドア１に対するロッド機構２０Ａの水平方向の突出量を小さくすることができ、ドア１の開閉に際しロッド機構２０Ａが邪魔になることを防止できる。
【００６３】
また、ロッド係止機構４０Ａは、カム部材４３Ａが床２と平行に移動するため扁平な形状とすることができる。よって、床２をロッド係止機構４０Ａに配設した際、ロッド係止機構４０Ａの床２からの突出量を低くすることがでる。
【００６４】
次に、本発明の他の実施形態について説明する。
【００６５】
図７乃至図１７は、本発明の他の実施形態を説明するための図である。なお、図７乃至図１７において、第１実施形態の説明に用いた図１乃至図６に示した構成と対応する構成については同一符号を付してその説明を省略する。
【００６６】
図７乃至図１０は、第２実施形態である戸当たり１０Ｂを示している。本実施形態に係る戸当たり１０Ｂもカム部材４３Ｂ（係止部材）として略ハート型のロッド通路４８Ｂを有したものを用いており、ロッド２２とカム部材４３Ｂはカム機構を構成する。
【００６７】
前記した第１実施形態に係る戸当たり１０Ａでは、係合部５７に係止されたロッド２２が進入通路５６に戻らないようにする構成として、進入通路５６の矢印Ｙ１方向端部の高さに対して係合部５７の高さを低くし、これにより形成される段差によりロッド２２が進入通路５６に戻るのを防止するよう構成した。
【００６８】
これに対して本実施形態に係る戸当たり１０Ｂは、カム部材４３Ｂに形成される進入通路５６，係合部５７，及び戻り通路５８の高さを同一高さとしたことを特徴としている。このため本実施形態では、係合部５７の進入通路側端部５７ａと戻り通路側端部５７ｂとを非対称な構成とした。具体的には、戻り通路側端部５７ｂの矢印Ｙ１方向の延出量が、進入通路側端部５７ａの矢印Ｙ１方向への延出量に対して大きくなるよう設定した。以下、上記構成とされた戸当たり１０Ｂの動作について説明する。
【００６９】
図７は、本実施形態に係る戸当たり１０Ｂのフリー状態を示している。このフリー状態では、カムスプリング４５，４６は均衡した状態となっており、よってカム部材４３Ｂがカムホルダー４４内の中央に位置し、カム部材４３Ｂのロッド進入部５５は、カムホルダー４４のロッド進入部５４及びカムカバー４１のロッド挿入溝５０に合致する位置に保持されている状態となっていることは、第１実施形態におけるフリー状態と同じである。
【００７０】
しかしながら本実施形態では、フリー状態において進入通路５６を構成する傾斜壁５９がロッド挿入溝５０内に位置するよう構成されている。よって、フリー状態よりドア１を開き方向に移動させると、傾斜壁５９にガイドされることによりロッド２２は、図８に示すように進入通路５６を進行する。
【００７１】
ロッド２２が進入通路５６を進行することにより、カム部材４３Ｂは図中矢印Ｘ１方向に移動を行う。よってカム部材４３Ｂには、カムスプリング４６により矢印Ｘ２方向へ移動付勢する弾性力が負荷される。
【００７２】
図８に示す状態より更にロッド２２が更に矢印Ｙ１方向に進行すると、やがてロッド２２は係合部５７の進入通路側端部５７ａを越える。前記のように、カムスプリング４６によりカム部材４３Ａは矢印Ｘ２方向に移動付勢されている。
【００７３】
よって、ロッド２２が進入通路側端部５７ａを乗り越えることにより、カム部材４３Ｂは矢印Ｘ２方向に移動する。このようにカム部材４３Ｂが矢印Ｘ２方向に移動することにより、相対的にロッド２２はカム部材４３Ｂに対して矢印Ｘ１に移動する。
【００７４】
しかしながら本実施形態では、前記のように戻り通路側端部５７ｂの矢印Ｙ１方向の延出量が、進入通路側端部５７ａの矢印Ｙ１方向への延出量に対して大きく設定されている。よって、進入通路側端部５７ａを乗り越えたロッド２２は戻り通路側端部５７ｂと当接し、直ちに戻り通路５８に進行するようなことはない。よって、進入通路側端部５７ａを乗り越えたロッド２２は、確実に係合部５７と係合する。
【００７５】
図９は、ロッド２２と係合部５７とが係合した状態を示している。このようにロッド２２と係合部５７が係合することにより、戸当たり１０Ａによりドア１は開いた状態（ロック状態）に係止される。この係合状態では、カム部材４３Ｂの位置はまだ中央より矢印Ｘ１方向に片寄っている。つまりカムスプリング４６によりカム部材４３Ａは矢印Ｘ２方向に移動付勢されている。
【００７６】
このロック状態を解除しドア１を閉めるためには、第１実施形態と同様に、ドア１に対して２回目の開き方向の動作を行う。これによりロッド２２は戻り通路側端部５７ｂを超え、ロッド２２と係合部５７（ロッド係止機構４０Ａ）との係合は解除される。またこれに伴い，前記カムスプリング４６によるカム部材４３Ａの矢印Ｘ２方向への移動付勢により、ロッド２２は戻り通路５８に進行する。図１０は、ロッド２２が戻り通路５８内を矢印Ｙ２方向に移動している状態を示している。
【００７７】
ドア１の閉め方向（Ａ２方向）の移動により、ロッド２２はやがて図７に示すロッド進入部５４に戻り、その後にロッド係止機構４０Ｂから離脱する。これにより、戸当たり１０Ｂによるドア１の一連の係止動作が終了する。
【００７８】
本実施形態に係る戸当たり１０Ｂは、進入通路５６，係合部５７，及び戻り通路５８の高さを等しくできるため、カム部材４３Ｂの製造の簡単化を図ることができる。また、ロッド機構２０Ａにおけるコイルスプリング２４を不要とすることができ、ロッド機構２０Ａの部品点数削減を図ることができる。
【００７９】
図１１及び図１２は、第３実施形態である戸当たり１０Ｃを説明するための図である。
【００８０】
前記した第１実施形態に係る戸当たり１０Ａでは、ロッド機構２０Ａに設けられるロッド２２を単に円柱状のロッド状とした構成を示した。これに対して本実施形態に係る戸当たり１０Ｃでは、ロッドをラチェットロッド６０としたことを特徴としている。
【００８１】
図１１は、ロッド機構２０Ｂを示している。ロッド機構２０Ｂは、ラチェットロッド６０を設けた構成とされている。ラチェットロッド６０はピニオン構造を有しており、ケース２１に回転可能に配設されている。
【００８２】
また、ケース２１には板ばね６２が固定ネジ６３を用いて固定されている。この板ばね６２の先端部はラチェットロッド６０を形成する歯に係合することにより、ラチェットロッド６０の一方向の回転のみを許容する構成とされている。
【００８３】
なお、図１１において符号６４で示すのは、ロッド機構２０Ｂをドア１に固定する際に固定ネジを挿通する取り付け孔である。
【００８４】
図１２は、ロッド係止機構４０Ｃを示している。本実施形態に係る戸当たり１０Ｃも、カム部材４３Ｃ（係止部材）として略ハート型のロッド通路４８Ｃを有したものを用いている。このカム部材４３Ｃに形成されロッド進入部５５、進入通路５６、係合部５７、及び戻り通路５８の内、進入通路５６及び係合部５７の内周部には、ラックを構成する歯車部７０が形成されている。
【００８５】
ラチェットロッド６０のモジュールと歯車部７０のモジュールは等しく設定されている。また、歯車部７０間の通路の幅をロッド径より僅かに大きくし噛合が外れないように設定する。
よって、ラチェットロッド６０，歯車部７０はラック・ピニオン機構を構成する。また、前記のようラチェットロッド６０は板ばね６２により一方向の回転のみが許容された構成であるため、ラチェットロッド６０と歯車部７０はラチェット機構としても機能する。
【００８６】
本実施形態に係る戸当たり１０Ｃは、ラチェットロッド６０が進入通路５６内を移動する際、ラチェットロッド６０と歯車部７０は噛合し、ラチェットロッド６０は回転しながら係合部５７に向けて移動する。前記のように、ラチェットロッド６０と歯車部７０はラチェット機構を構成し、かつラチェットロッド６０の回転方向はラチェットロッド６０が係合部５７に向かう移動を許容する方向に設定されている。
【００８７】
よって、ラチェットロッド６０が係合部５７に係合するまで、またラチェットロッド６０が係合部５７と係合した後にラチェットロッド６０が戻り方向に移動することを防止することができる。これにより、本実施形態においてもロッド進入部５５、進入通路５６、係合部５７、及び戻り通路５８の高さを等しくすることができる。
【００８８】
図１３乃至図１７は、第４実施形態である戸当たり１０Ｄを示している。
【００８９】
本実施形態に係る戸当たり１０Ｄもカム部材４３Ｄ（係止部材）として略ハート型のロッド通路４８Ｄを有したものを用いており、ロッド２２とカム部材４３Ｄはカム機構を構成する。なお、図１３乃至図１７では図示及び説明の便宜上、ロッド機構２０Ａについてはロッド２２のみを示している。
【００９０】
前記した各実施形態では、カムスプリング４５，４６が設けられていたため、ロッド２２がロッド係止機構４０Ａ〜４０Ｃ内に進入する前には、カム部材４３Ａ〜４３Ｃは中央位置で静止した状態となっている。よって、ロッド２２がロッド進入部５４からロッド係止機構４０Ａ〜４０Ｃ内に進入した場合、ロッド２２は直ちにロッド通路４８Ａ〜４８Ｃに係合する構成とされていた。
【００９１】
これに対して本実施形態に係る戸当たり１０Ｄは、カム部材４３Ｄにロッド挿入ガイド部８０を設けることにより、カムスプリング４５，４６を不要としたことを特徴としている。以下、本実施形態に係る戸当たり１０Ｄの構成について説明する。
【００９２】
ロッド挿入ガイド部８０は、カム部材４３Ｄのロッド進入部５４と対向する側（図中、矢印Ｙ２側）に形成されている。このロッド挿入ガイド部８０は、一対のガイド面８１，３２により構成されている。また、この一対のガイド面８１，３２の間の部分は、ロッド進入部５５を構成する。
【００９３】
ロッド挿入ガイド部８０は、ロッド進入部５４からロッド進入部５５に進行したロッド２２をロッド通路４８Ｄのロッド通路端部Ｐにガイドする機能を奏するものである。よって、ロッド挿入ガイド部８０（ガイド面８１，８２）の図中矢印Ｙ１方向側の端部は、ロッド通路４８Ｄと連続的に接続した構成となっている。
【００９４】
ロッド挿入ガイド部８０は、平面視した状態（図３に示す状態）で、ロッド通路端部Ｐ側を要とし、ロッド進入部５４側に向けて広がる扇形形状とされている。具体的には、ガイド面８１はロッド通路端部Ｐからロッド進入部５４側に向け図中矢印Ｘ２方向側に広がる傾斜面を形成し、ガイド面８２はロッド通路端部Ｐからロッド進入部５４側に向け図中矢印Ｘ１方向側に広がる傾斜面を形成する。
【００９５】
また、ロッド挿入ガイド部８０を構成する各ガイド面８１，８２は、ロッド進入部５５に対して起立した壁面により構成されている（図１５及び図１６参照）。従って、ロッド２２がロッド係止機構４０Ｄ内に進行しガイド面８１又はガイド面８２に係合すると、ロッド２２はガイド面８１又はガイド面８２にガイドされながらロッド通路端部Ｐに向け進行する。なお、ロッド挿入ガイド部８０によるロッド２２のガイドについては、説明の便宜上、後述するものとする。
【００９６】
上記のように本実施形態では、ロッド係止機構４０Ｄはカムスプリングを有していない。よって、カム部材４３Ｄはカムホルダー４４内で矢印Ｘ１，Ｘ２方向に自在に移動可能な構成となっている。
【００９７】
このためロッド２２がロッド係止機構４０Ｄ内に進行していない状態では、カム部材４３Ｄの位置は特定されない。即ち、カム部材４３Ｄは、図１４（Ａ）に示す矢印Ｘ２方向端部まで移動した位置と、図１４（Ｂ）に示す矢印Ｘ１方向端部まで移動した位置との間のいずれかに位置している。
【００９８】
ところで、ロッド２２はロッド係止機構４０Ｄに進入する際、カムカバー４１に形成されたロッド挿入溝５０にガイドされて略直前状に矢印Ｙ１方向に進行する。仮に、図１３に示すようにカム部材４３Ｄがロッド係止機構４０Ｄ内で矢印Ｘ１，Ｘ２方向に対する中央位置に位置していた場合には、ロッド挿入溝５０とロッド通路端部Ｐは対向した状態となっている（ロッド２２の進行経路上にロッド通路端部Ｐが位置した状態となっている）。
【００９９】
よってフリー状態からロッド２２が矢印Ｙ１方向進行した場合、ロッド２２はロッド通路端部Ｐを介してロッド通路４８Ｄに円滑に進行する。従って、カム部材４３Ｄが中央位置にある場合は、ロッド挿入ガイド部８０を設けても、ロッド２２及びカム部材４３Ｄの動作は前記した第１実施形態と大きく変わるところとはない。
【０１００】
これに対し、例えば図１４（Ａ），（Ｂ）に示すようにカム部材４３Ｄが中央位置に位置していない状態では、ロッド通路端部Ｐはロッド挿入溝５０からずれている。即ち、ロッド２２の進行経路上にロッド通路端部Ｐが存在しない構成となっている。
【０１０１】
しかしながら本実施形態に係る戸当たり１０Ｄは、カム部材４３Ｄの移動位置に拘わらず、ロッド挿入ガイド部８０がロッド挿入溝５０と対向する構成とされている。
【０１０２】
具体的には、カム部材４３Ｄが図１３に示す中央位置から図１４（Ｂ）に示す矢印Ｘ１方向端部までの間に位置する場合、ロッド挿入ガイド部８０のガイド面８１がロッド挿入溝５０と対向するよう構成されている。また、カム部材４３Ｄが図１３に示す中央位置から図１４（Ａ）に示す矢印Ｘ２方向端部までの間に位置する場合、ロッド挿入ガイド部８０のガイド面８２がロッド挿入溝５０と対向するよう構成されている。
【０１０３】
ガイド面８１のガイド面端部８１ａとロッド通路端部側端部８１ｂとの間の矢印Ｘ１，Ｘ２方向の距離（図中１３に矢印Ｌ１で示す）は、ロッド挿入溝５０の矢印Ｘ１，Ｘ２方向の幅（図１３に矢印Ｌ０で示す）と同じか、それよりも大きくなるよう設定されている（Ｌ１≧Ｌ０）。同様に、ガイド面８２のガイド面端部８２ａとロッド通路端部側端部８２ｂとの間の矢印Ｘ１，Ｘ２方向の距離（図中１３に矢印Ｌ２で示す）は、ロッド挿入溝５０の矢印Ｘ１，Ｘ２方向の幅Ｌ０と同じか、それよりも大きくなるよう設定されている（Ｌ２≧Ｌ０）。
【０１０４】
更に、図１４（Ａ）に示すようにカム部材４３Ｄが矢印Ｘ２方向端部に移動した状態において、ガイド面８２のガイド面端部８２ａはロッド挿入溝５０の矢印Ｘ１方向側の側壁５０ａの略下部位置に位置し、ロッド通路端部側端部８２ｂはロッド挿入溝５０の矢印Ｘ２方向側の側壁５０ｂの略下部位置に位置するよう構成されている。
【０１０５】
また、図１４（Ｂ）に示すようにカム部材４３Ｄが矢印Ｘ１方向端部に移動した状態において、ガイド面８２のガイド面端部８１ａはロッド挿入溝５０の矢印Ｘ２方向側の側壁５０ｂの略下部位置に位置し、ロッド通路端部側端部８１ｂはロッド挿入溝５０の矢印Ｘ１方向側の側壁５０ａの略下部位置に位置するよう構成されている。
【０１０６】
よって上記構成とされた本実施形態に係る戸当たり１０Ｄでは、カム部材４３Ｄの移動位置に拘わらず、ロッド挿入ガイド部８０又はロッド通路端部Ｐの少なくとも一方がロッド挿入溝５０と対向する構成となる。従って、ロッド２２がロッド挿入溝５０にガイドされて矢印Ｙ１方向にロッド係止機構４０Ｄ内に進行した場合、ロッド２２は直接ロッド通路端部Ｐに進行するか、或いはロッド挿入ガイド部８０を構成するガイド面８１又はガイド面８２のいずれか一方に当接することになる。
【０１０７】
次に、図１５及び図１６を用いて、上記構成とされた本実施形態に係る戸当たり１０Ｄの動作について説明する。
【０１０８】
なお、図１５及び図１６に示すのは、カム部材４３Ｄが図１４（Ａ）に示す矢印Ｘ２方向端部に位置した状態において、ロッド２２がロッド係止機構４０Ｄに進行した時のカム部材４３Ｄの動作である。また、図１５及び図１６では図示及び説明の便宜上、ロッド機構２０Ａについてはロッド２２のみを示し、またロッド係止機構４０Ｄにおいてはカムカバー４１の図示を省略している。
【０１０９】
前記したように、カム部材４３Ｄが矢印Ｘ２方向端部に位置した状態では、ロッド挿入ガイド部８０のガイド面８２がロッド挿入溝５０と対向した状態となっている。この状態において、図１５（Ａ）は、ドア１の１回目の開き方向の動作により、ロッド２２がロッド係止機構４０Ｄのロッド進入部５４に位置した状態（フリー状態）を示している。
【０１１０】
フリー状態よりドア１を開き方向に移動させると、ロッド２２はロッド挿入ガイド部８０のガイド面８２と係合し、更に矢印Ｙ１方向に移動することにより、ガイド面８２を介してカム部材４３Ｄを付勢する。
【０１１１】
前記のように、ガイド面８２は傾斜面であるため、ロッド２２が矢印Ｙ１方向に移動する力は、矢印Ｙ１方向に向かう力と矢印Ｘ１方向に向かう力に分力される。更に、カム部材４３Ｄはカムホルダー４４内において、図中矢印Ｘ１，Ｘ２方向に自在に移動可能な構成とされている。このため、上記の矢印Ｘ１方向に向かう分力により、カム部材４３Ｄはカムホルダー４４内を矢印Ｘ１方向に移動する。
【０１１２】
また、カム部材４３Ｄが印Ｘ１方向に移動することにより、ロッド２２は矢印Ｙ１方向への移動から許容される。よって、ロッド２２がガイド面８２に当接した後も、ロッド２２はロッド挿入溝５０及びガイド面８２にガイドされてロッド進入部５５上を矢印Ｙ１方向の移動を続け、やがてロッド２２はロッド通路端部Ｐに至る。図１５（Ｂ）は、ロッド２２がロッド通路端部Ｐまで進行した状態を示している。
【０１１３】
更にロッド２２が矢印Ｙ１方向に移動すると、図１５（Ｃ）に示すようにロッド２２はロッド通路４８Ｄの進入通路５６に進行する。図１５（Ｃ）は、ロッド２２がロッド通路４８Ｄの上り面部５６ａを上り、平面部５６ｂまで進行した状態を示している。
【０１１４】
図１５（Ｃ）に示す状態より更にロッド２２が矢印Ｙ１方向に進行すると、ロッド２２は平面部５６ｂから窪み面部５６ｃに落下し、続いて上り面部５６ｄを上ることにより、係合部５７と係合する。よって、ロッド２２はロック状態となり、閉め方向（矢印Ｙ２方向）に力が印加されてもドア１は開いた状態を維持する。図１６（Ｄ）は、ロッド２２と係合部５７が係合した状態を示している。
【０１１５】
本実施形態においても、ロック状態を解除してドア１を閉めるためには、ドアの２回目の開き方向の動作（ドア１を開き方向に移動させる動作）を行う。
【０１１６】
この２回目の開き方向の動作により、ロッド２２は戻り通路５８に進行する。前記のようにドア１を閉める場合、ドア１には閉め方向（図１に矢印Ａ２で示す方向）に力が負荷される。この力はロッド２２にも負荷されており、よってロッド２２は戻り通路５８内を矢印Ｙ２方向に移動する。図１６（Ｅ）は、ロッド２２が戻り通路５８内を矢印Ｙ２方向に移動している状態を示している。
【０１１７】
なお、ロッド２２がロッド挿入溝５０に沿って矢印Ｙ１，Ｙ２方向に移動すると、カム部材４３Ｄはロッド２２に付勢され、ロッド通路４８Ｄの形状に応じて矢印Ｘ１，Ｘ２方向に移動する。そして、ロッド２２がロッド進入部５４の近傍まで移動した状態では、図１６（Ｆ）に示すようにカム部材４３Ａは略中央位置に移動し、ロッド進入部５４とロッド進入部５５は連通した状態となる。
【０１１８】
よって、ロッド２２が更に矢印Ｙ２方向に移動することにより、ロッド２２（ロッド機構２０Ａ）はロッド係止機構４０Ｄから離脱する。これにより、戸当たり１０Ｄによるドア１の一連の係止動作が終了する。
【０１１９】
なお、図１４（Ｂ）に示すカム部材４３Ｄが矢印Ｘ１方向端部に位置した状態でロッド２２がロッド係止機構４０Ｄに進入する場合の動作は、ロッド２２がロッド挿入ガイド部８０のガイド面８１にガイドされたロッド通路端部Ｐに至る点を除き、上記した動作と同一の動作となるため、その説明は省略する。
【０１２０】
また、図１３に示すカム部材４３Ｄが中央位置に位置した状態でロッド２２がロッド係止機構４０Ｄに進入する場合は、ロッド２２はロッド挿入ガイド部８０にガイドされることなく直接ロッド通路端部Ｐに進行するため、この説明についても省略するものとする。
【０１２１】
上記のように本実施形態に係る戸当たり１０Ｄでは、カムスプリング４５，４６を用いることなくロッド２２の係止（ロック）及び係止解除（ロック解除）を行うことができる。よって本実施形態に係る戸当たり１０Ｄによれば、戸当たり１０Ｄの部品点数の削減。及び組み立て作業の容易化を図ることができる。
【０１２２】
ところで、本実施形態に係る戸当たり１０Ｄはカムスプリング４５，４６を用いて強制的にカム部材４３Ａ〜４３Ｃを中央位置に移動させる他の実施形態と異なり、ロッド２２の矢印Ｙ１，Ｙ２方向の移動によりカム部材４３Ｄを矢印Ｘ１，Ｘ２方向に移動させる構成とされている。このため、本実施形態に係る戸当たり１０Ｄは、カム部材４３Ａに上部凸部４９Ａ及び下部凸部４９Ｂを設けている。
【０１２３】
図１７は、上部凸部４９Ａ及び下部凸部４９Ｂを示している。図１７（Ａ）は図１４（Ａ）におけるＡ−Ａ線に沿う断面を示しており、図１７（Ｂ）は図１７（Ａ）に矢印Ｂで示す円の内部を拡大して示している。
【０１２４】
上部凸部４９Ａは、カム部材４３Ａの矢印Ｙ１方向側の側縁部と矢印Ｙ２方向側の側縁部に上方に向けて（矢印Ｚ１方向に向けて）突出するよう形成されている。この上部凸部４９Ａは、カム部材４３Ａの矢印Ｘ１,Ｘ２方向に延在する両側縁の全体に亘り形成されているのではなく、所定の間隔を置いて複数形成されている。
【０１２５】
また、カムホルダー４４の上部凸部４９Ａと対向する位置には、スライド面４４ａが形成されている。よって、カム部材４３Ｄが矢印Ｘ２，Ｘ２方向に移動する際、上部凸部４９Ａはスライド面４４ａ上をスライドする。
【０１２６】
この際、上部凸部４９Ａは上記のように所定間隔で複数形成された構成であるため、カム部材４３Ｄの側縁部の全体がスライド面４４ａと接触する構成に比べ、本実施形態では上部凸部４９Ａとスライド面４４ａの接触面積が小さくなる。これにより、上部凸部４９Ａとスライド面４４ａとの間に発生する摩擦を低減することができる。
【０１２７】
また、下部凸部４９Ｂはカム部材４３Ｄの底面部にベース４２に向け突出するよう形成されている。この下部凸部４９Ｂも所定の間隔を置いて複数形成されている。この下部凸部４９Ｂの配置は、例えば底面視した状態で格子状となるよう配置することができるが、これに限定されるものではない。
【０１２８】
このように、カム部材４３Ｄの底面に所定の間隔を置いて下部凸部４９Ｂを形成することによっても、カム部材４３Ｄの底面全面がベース４２と接触する構成に比べ、下部凸部４９Ｂとベース４２との接触面積を小さくすることができる。
【０１２９】
このように、上部凸部４９Ａ及び下部凸部４９Ｂを設けることにより、カム部材４３Ｄとベース４２及びカムホルダー４４との間に発生する摩擦を低減することができ、カム部材４３Ｄの矢印Ｘ１，Ｘ２方向への移動を円滑に行うことが可能となる。よって、カムスプリング４５，４６を設けない構成としても、カム部材４３Ｄの移動の円滑化が図れ、ドア１の係止（ロック）及び係止解除（ロック解除）を確実に行うことができる。
【０１３０】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【符号の説明】
【０１３１】
１  ドア
２  床
１０Ａ，１０Ｂ，１０Ｃ，１０Ｄ  戸当たり
２０Ａ，２０Ｂ  ロッド機構
２１  ケース
２２  ロッド
２４  コイルスプリング
４０Ａ，４０Ｂ，４０Ｃ，４０Ｄ  ロッド係止機構
４１  カムカバー
４２  ベース
４３Ａ，４３Ｂ，４３Ｃ，４３Ｄ  カム部材
４４  カムホルダー
４４ａ  スライド面
４５，４６  カムスプリング
４８Ａ，４８Ｂ，４８Ｃ，４８Ｄ  ロッド通路
４９Ａ  上部凸部
４９Ｂ  下部凸部
５０  ロッド挿入溝
５１  枠部
５４，５５  ロッド進入部
５６  進入通路
５７  係合部
５７ａ  進入通路側端部
５７ｂ  戻り通路側端部
５８  戻り通路
６０  ラチェットロッド
６２  板ばね
６３  固定ネジ
６４  取り付け孔
７０  歯車部
８０  ロッド挿入ガイド部
８１，８２  ガイド面
Ｐ  ロッド通路端部
【図１】
2014194144.tif 000003
【図２】
2014194144.tif 000004
【図３】
2014194144.tif 000005
【図４】
2014194144.tif 000006
【図５】
2014194144.tif 000007
【図６】
2014194144.tif 000008
【図７】
2014194144.tif 000009
【図８】
2014194144.tif 000010
【図９】
2014194144.tif 000011
【図１０】
2014194144.tif 000012
【図１１】
2014194144.tif 000013
【図１２】
2014194144.tif 000014
【図１３】
2014194144.tif 000015
【図１４】
2014194144.tif 000016
【図１５】
2014194144.tif 000017
【図１６】
2014194144.tif 000018
【図１７】
2014194144.tif 000019